【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
成分分離及び質量分析計システムから得たデータを分析する方法であって、
成分分離及び質量分析計システムから得たデータを含む、複数の二次元データセットのそれぞれにおける選択されたイオンピークを決定することと（前記二次元データセットのそれぞれは、それぞれの三次元データセットから決定され、複数のサンプルのそれぞれについての、前記成分分離及び質量分析計システムから得られた前記データを含む）、
前記二次元データセットのそれぞれについて、複数の統合手順の内の１つを使用して、前記選択されたイオンピークに関連する領域を決定することと、
前記二次元データセットの前記選択されたイオンピークに関連したサンプル成分の同定を決定することと（それぞれの選択されたイオンピークに関連する前記領域は、前記それぞれのサンプルの、前記サンプル成分の相対量にさらに対応する）
前記複数の二次元データセットの中の前記選択されたイオンピークを、前記二次元データセットの第１の部分についての前記選択されたイオンピークの前記領域を決定するために使用した、前記統合手順の内の１つを決定するために比較することと（前記決定された統合手順の内の１つは、テンプレート統合手順を含む）、
前記テンプレート統合手順を、前記二次元データセットの第２の部分の前記選択されたイオンピークに適用すること（前記二次元データセットの第２の部分が、前記テンプレート統合手順以外の前記統合手順の内の１つによって決定されたその前記選択したイオンピークの前記領域を有し、前記二次元データセットの前記第１の部分に相当する、前記サンプルにおいて決定すべき前記サンプル成分の前記相対量に関する、前記二次元データセットの前記第２の部分に相当する、前記サンプルにおいて決定すべき前記サンプル成分の前記相対量を調整する）と、
を含む、方法。
【請求項２】
成分分離及び質量分析計システムから得たデータを分析する方法であって、
複数の二次元データセットのそれぞれにおける選択されたイオンピークを決定することと（前記二次元データセットのそれぞれは、複数のサンプルのそれぞれについて、成分分離及び質量分析計システムから得られたデータを含むそれぞれの三次元データセットから決定される）、
前記二次元データセットのそれぞれについて、複数の統合手順の内の１つを使用して、前記選択されたイオンピークと関連する領域を決定することと、
前記二次元データセットの前記選択されたイオンピークに関連する第１のサンプル成分の同定を決定することと（前記第１のサンプル成分に関連する選択されたイオンピークのそれぞれの前記領域が、更に、前記それぞれのサンプルにおける前記第１のサンプル成分の相対量に相当する）、
前記複数の二次元データセットの中の前記選択されたイオンピークを、前記統合手順の内の所定の１つを、前記二次元データセットの前記選択されたイオンピークの第１の部分の前記第１のサンプル成分に関連する前記領域を決定するために使用したかどうかを決定するために、比較することと（前記二次元データセットの前記選択されたイオンピークの前記第１の部分は、前記第１のサンプル成分に加えて、それに関連する第２のサンプル成分を示し、前記第１のサンプル成分に関連する前記第１の部分のそれぞれの選択されたイオンピークの前記領域を決定するために用いられた、前記統合手順の内の所定の１つは、第１のサンプル成分マスク統合手順を含む）、
統合手順の内の前記所定の１つを、前記選択されたイオンピークの前記第１の部分の前記第１のサンプル成分に関連する前記領域を決定するために使用したかどうかを決定することと（それぞれの選択されたイオンピークの領域は、第２のサンプル成分マスク統合手順を用いて、前記二次元データセットの前記選択されたイオンピークの前記第１の部分についての、前記第２のサンプル成分の相対量に相当する）、
前記第１及び第２のサンプル成分マスク統合手順を、前記二次元データセットの第２の部分の前記選択されたイオンピークに適用すること（前記二次元データセットの前記第２の部分は、事前に、前記第１のサンプル成分マスク統合手順以外に、前記統合手順の内の１つによって決定された前記選択されたイオンピークの前記領域を有し、前記二次元データセットの前記第１の部分に相当する、前記サンプルにおいて決定すべき前記第１及び第２のサンプル成分の前記相対量に関する、前記二次元データセットの前記第２の部分に相当する、前記サンプルにおいて決定すべき前記第１及び第２のサンプル成分の前記相対量を調整する）と、
を含む、方法。
【請求項３】
前記統合手順の内の所定の１つを、前記選択されたイオンピーク（前記複数の二次元データセットの中の選択されたイオンピークは、二次元データセットの同定された部分についての各選択されたイオンピークの領域を決定するために使用された、統合手順の内の１つを決定し、前記統合手順の内の前記所定の１つは、テンプレートの統合手順を含む）の第１の部分の前記第１のサンプル成分に関連した領域を決定するために使用されなかったかどうかを比較することと、
前記テンプレートの統合手順を、前記二次元データセットの残部（前記二次元データセットの前記残部は、前記二次元データセットの前記同定された部分に相当する前記サンプルにおいて決定される前記サンプル成分の相対量に関する、前記二次元データセットの前記残部に相当する前記サンプルにおいて決定される、前記サンプル成分の前記相対量を調整するために、前記テンプレートの統合手順以外の前記統合手順の内の１つによって決定された、前記選択されたイオンピークの前記領域を事前に有する）の前記選択されたイオンピークへ適用することと、
を更に含む、請求項２に記載の方法。
【請求項４】
前記二次元データセットが、前記他の次元における別のサンプル特性の選択された値の強度に対して一次元におけるサンプル特性を示し、前記選択されたイオンピークに関連した領域を決定するように構成され、更に、
サンプル特性次元において、強度ピーク起点及び強度ピーク末端を決定することと、
強度次元におけるベースライン強度に関して、前記強度ピーク起点及び、前記強度ピーク末端のそれぞれの関係性を決定することと、
サンプル特性次元における、前記強度ピーク起点及び前記強度ピーク末端の間の前記選択されたイオンピークを、前記選択されたイオンピークに関連した前記領域を決定するように、前記強度次元におけるベースライン強度に対するその関係性に対して統合することと、
を含む、請求項１又は２に記載の方法。
【請求項５】
前記サンプル特性次元における、強度ピーク起点及び強度ピーク末端を決定することが、更に、時間次元における強度ピーク起点及び強度ピーク末端を決定することを含む、請求項４に記載の方法。
【請求項６】
前記強度次元におけるベースライン強度に対する、前記強度ピーク起点及び前記強度ピーク末端のそれぞれの関係を決定することが、更に、
前記強度ピーク起点及び前記強度ピーク末端のいずれかが前記ベースライン強度に対応するかどうかを決定することと、
前記強度ピーク起点及び前記強度ピーク末端のいずれかが前記ベースライン強度から離間しているかどうかを決定すること、
のうちの少なくとも１つを含む、請求項４に記載の方法。
【請求項７】
前記ベースライン強度に対して決定された前記強度ピーク起点の関係性及び、前記ベースライン強度に対して決定された前記強度ピーク末端の関係性の組み合わせにより、前記二次元データセットのそれぞれについての前記選択されたイオンピークに関連した前記領域を決定するために使用した、前記複数の統合手順の内の１つを決定することを、更に含む、請求項６に記載の方法。
【請求項８】
複数のサンプルのそれぞれについての各三次元データセットから前記各二次元データセットを決定することを更に含み、各三次元データセットは、サンプル成分質量次元、強度次元、及び時間次元を含む、請求項１又は２に記載の方法。
【請求項９】
複数の二次元データセットのそれぞれにおける、選択されたイオンピークを決定することが、前記対応する三次元データセットの前記サンプル成分質量次元における、選択されたサンプル成分についての前記時間次元及び前記強度次元を含む、各二次元データセットを用いて、複数の二次元セットのそれぞれにおける選択されたイオンピークを決定することを更に含む、請求項８に記載の方法。
【請求項１０】
前記複数の二次元データセットの中の、前記二次元データセットの前記選択されたイオンピークを比較することと、前記二次元データセットの中のそれぞれの強度特性によって、前記選択されたイオンピークを位置合わせすることを更に含む、請求項９に記載の方法。
【請求項１１】
前記二次元データセットのそれぞれについての、前記選択されたイオンピークに関する領域を決定することが、更に、パーセント相対標準偏差に関して、前記二次元データセットのそれぞれについての前記選択されたイオンピークに関連する領域を決定することを更に含む、請求項１又は２に記載の方法。
【請求項１２】
複数の二次元データセットのそれぞれにおいて、選択されたイオン強度ピークを決定することが、更に、
前記二次元データセットのそれぞれにおける、複数の候補強度ピークを同定することと、
前記複数の二次元データセットの中の、前記候補強度ピークを比較することと、
前記複数の二次元データセットの中に顕在し、且つ、前記選択されたイオンピークとして、化合物データベースで認識される化合物に対応する、前記候補強度ピークの内の１つを選択すること、と
を含む、請求項１又は２に記載の方法。
【請求項１３】
前記複数の二次元データセットの中の選択されたイオンピークを比較することが、更に、前記第１のサンプルに関連する前記領域のいずれかが、前記統合手順の内の所定の１つによって決定されたかどうかを決定するために、前記複数の二次元データセットの中の前記選択されたイオンピーク（プライマリピークに加えてショルダーピークを示し、第１のサンプル成分に加えて第２のサンプル成分に相当する）を比較することを更に含み、前記選択されたイオンピークは、前記二次元データセットの前記選択されたイオンピークの前記第１の部分を含む前記統合手順の内の前記所定の１つによって決定された、前記第１のサンプル成分に関する、前記領域を有する、請求項３に記載の方法。
【請求項１４】
前記第１のサンプル成分に加えて、前記第２のサンプル成分を示す前記二次元データセットの内の、前記選択されたイオンピークの前記第１の部分を含むピークにおいて、前記選択されたイオンのそれぞれについて、プライマリピーク、ショルダーピーク、及びそれらの間のピークの遷移を決定することを更に含む、請求項１３に記載の方法。
【請求項１５】
前記二次元データセットの前記選択されたイオンピークの前記第１の部分の前記ショルダーピークに関連する、前記第２のサンプル成分の同定を決定することを更に含む、請求項１４に記載の方法。
【請求項１６】
前記第１のサンプル成分マスク統合手順を、前記プライマリピーク及び前記ショルダーピークの間の、前記サンプル特性次元における代表的なピーク遷移、及び前記強度次元における代表的なベースライン強度を決定するように、前記第２のサンプル成分マスク統合手順と比較することを更に含む、請求項１５に記載の方法。
【請求項１７】
前記第１及び第２のサンプル成分マスク統合手順を、前記二次元データセットの第２の部分の前記選択されたイオンピークに適応することが、更に、
前記第１のサンプル成分に関する前記第２の部分の前記選択されたイオンピークの前記領域を決定するために、前記強度次元における前記代表的なベースライン強度に関する前記サンプル特性次元における、前記強度ピーク起点及び前記代表的なピーク遷移を用いて、第１のサンプル成分マスク統合手順を実行することと、
前記第１のサンプル成分に関する前記第２の部分の前記選択されたイオンピークの前記領域を決定するために、前記強度次元における前記代表的なベースライン強度に関する前記サンプル特性次元における、前記代表的なピーク遷移及び前記代表的な強度ピーク末端を用いて、前記第２のサンプル成分マスク統合手順を実行することと、
を含む、請求項１６に記載の方法。
【請求項１８】
請求項１及び４乃至１２のいずれか一項に記載の方法を適用するための装置であって、プロセッサ及び前記プロセッサによる実行に応じて実行可能な命令を格納するメモリを含む、装置。
【請求項１９】
請求項２乃至１７のいずれか一項に記載の方法を適用するための装置であって、プロセッサ及び前記プロセッサによる実行に応じて実行可能な命令を格納するメモリを含む、装置。